(57)【要約】【課題】メディアの左右テンションバランスの補正、及びスキューの補正を行うことができ、メディア浮きやシワ発生を低減させたメディア巻き取り機構を提供すること。【解決手段】  本発明の巻き取り機構は、帯状に長いメディアを用いる装置において用いられ、該メディアを筒状の巻管の周囲にロール状に巻き取る巻き取り機構であって、その周囲に巻管を抜き差し自在に挿通し、該巻管と一体に回転させる回転軸、及び前記回転軸の両端を回転自在かつ離脱可能に支持する軸受け部を有し、前記巻管を回転自在にかつ着脱可能に支持する支持手段と、前記支持手段と連続一体的に設けられ、該支持手段を装置本体に対して取付ける取付け部と、を備え、前記取付け部の少なくとも一部が板バネにより構成され、該板バネ部分が可動とされていること、を特徴とする。【選択図】図３
2010247939.tif 000002
【特許請求の範囲】
【請求項１】
帯状に長いメディアを用いる装置において用いられ、該メディアを筒状の巻管の周囲にロール状に巻き取る巻き取り機構であって、
その周囲に巻管を抜き差し自在に挿通し、該巻管と一体に回転させる回転軸、及び前記回転軸の両端を回転自在かつ離脱可能に支持する軸受け部を有し、前記巻管を回転自在にかつ着脱可能に支持する支持手段と、
前記支持手段と連続一体的に形成され、該支持手段を装置本体に対して取付ける取付け部と、を備え、
前記取付け部の少なくとも一部が板バネにより構成され、該板バネ部分が可動とされていること、を特徴とする巻き取り機構。
【請求項２】
請求項１に記載の巻き取り機構を備えたことを特徴とするプリンタ装置。
【発明の詳細な説明】
【技術分野】
【０００１】
本発明は、インクジェットプリンタ等のプリンタ装置から送り出されて来る帯状に長いメディアを、巻管周囲にロール状に巻き取るための、メディア巻き取り機構と、該機構を備えたプリンタ装置に関する。ここで、メディアとは、紙、塩化ビニル樹脂などの被印刷物を意味する。
【背景技術】
【０００２】
図４に示すような、プラテン２２０上方をプラテン２２０表面とほぼ平行なＸ−Ｙ方向（図の左右方向と表裏面方向）に相対的に移動させるインクジェットヘッド２３０に並ぶノズルからインクを噴射させて、そのインクをプラテン２２０上に搭載されたシート等のメディア２１０表面にドット状に着弾させる、インクジェットプリンタが周知である。このプリンタによれば、そのメディア２１０表面に、複数のインクのドットの配列からなる文字や記号等を含む又は含まない画像（以下、単に画像という）をプリントできる。
【０００３】
このプリンタ装置においては、インクジェットヘッド２３０を、一定の移動停止時間をあけて、プラテン２２０上方を、繰り返しＹ方向に往復移動させている。他方、メディア２１０は、プラテン上を、正方向（前方向）のＸ方向に順送りしている。そして、インクジェットヘッド２３０を、メディア２１０上方をＸ−Ｙ方向に相対的に移動させている。
【０００４】
そして、図４に示したようなプリンタ装置においては、プラテン２２０上をＸ方向に所定距離づつ順送りされて、プラテン２２０前方に送り出されて来る、画像をプリント済みの帯状に長いシート等のメディア２１０を、プラテン２２０と並べてプラテンの前方下部に配置されたメディア巻き取り手段２５０に支持された筒状の紙製等の巻管（図示せず）周囲に邪魔にならないようにコンパクトにロール状に巻き取っている（例えば、特許文献１参照）。
【０００５】
このメディア巻き取り手段２５０は、メディア２１０をロール状に巻き取る巻管が、回転軸２５２周囲に抜き差し可能に支持されていて、回転軸２５２は、歯車列等を介して、電動モータ（図示せず）の駆動軸に連結されている。そして、電動モータにより回転軸２５２を回転させると、巻管が回転軸２５２と共にメディア２１０の巻き取り方向に回転する構造をしている。そして、巻管周囲にメディア２１０がロール状に巻き取られる構造をしている。
【先行技術文献】
【特許文献】
【０００６】
【特許文献１】特開２００２−９６５１５号公報
【発明の概要】
【発明が解決しようとする課題】
【０００７】
ところで、このような従来のメディア巻き取り手段２５０を用いて、プリンタから送り出されて来るメディア２１０を巻管周囲に巻き取った場合には、その巻管周囲にメディア２１０が巻き取られるのに従って、巻管の重量及び直径が増し、巻管の慣性モーメント値が増大する。そして、巻管周囲に巻き取り中のメディア２１０に加わるテンションが大きく変化してしまう。それに伴い、そのメディア２１０からプリンタ内で順送りされるメディア部分２１０ｂに加わるテンションが大きく変化してしまうという問題があった。また、部品精度や組立精度のバラツキの要因により、微妙な左右の構造上の距離の相違が生じ、テンションの左右差が発生することでのメディアの安定した平行搬送への影響も問題であった。
【０００８】
このように、メディアロールの回転時にメディア２１０にかかるテンションが左右端と中央とで安定せず、搬送量にばらつきが生じると、搬送時にメディア２１０がスキューしたり、しわが発生しやすくなる。また、メディア２１０にしわが発生すると、そのメディア部分２１０ｂにプリントされる画像に歪みやずれが生じたりするなど印字不良が発生してしまう。
従来のメディア巻き取り手段では、メディア２１０がスキューした場合、また左右テンション差が発生した場合であっても同一方向に巻き続けるのみで、問題を改善できる機能を有していなかった。
【０００９】
本発明は、このような従来の実情に鑑みて考案されたものであり、メディアの左右テンションバランスの補正、及びスキューの補正を行うことができ、メディア浮きやシワ発生を低減させたメディア巻き取り機構を提供することを目的とする。
また、本発明は、前記メディア巻き取り機構を備えることで、メディアを安定走行させることができ、印字不良がなく安定して印刷可能なプリンタ装置を提供することを目的とする。
【課題を解決するための手段】
【００１０】
本発明の請求項１に記載の巻き取り機構は、帯状に長いメディアを用いる装置において用いられ、該メディアを筒状の巻管の周囲にロール状に巻き取る巻き取り機構であって、その周囲に巻管を抜き差し自在に挿通し、該巻管と一体に回転させる回転軸、及び前記回転軸の両端を回転自在かつ離脱可能に支持する軸受け部を有し、前記巻管を回転自在にかつ着脱可能に支持する支持手段と、前記支持手段と連続一体的に設けられ、該支持手段を装置本体に対して取付ける取付け部と、を備え、前記取付け部の少なくとも一部が板バネにより構成され、該板バネ部分が可動とされていること、を特徴とする。
本発明の請求項２に記載のプリンタ装置は、請求項１に記載の巻き取り機構を備えたことを特徴とする。
【発明の効果】
【００１１】
本発明では、巻き取り機構の取付け部の一部を板バネにより構成することで、従来、装置本体に対して完全固定されていた支持手段（ホルダー）が、該板バネの伸縮により、ある程度動くようになり、メディアの左右テンションバランスの補正を行うことができる。これによりメディア搬送時のスキューやシワなどの不具合の発生を低減することができる。その結果、本発明では、メディア浮きやシワ発生を低減させ、メディアを安定走行させることが可能なメディア巻き取り機構を提供することができる。
また、本発明のプリンタ装置は、前記本発明のメディア巻き取り機構を備えているので、メディア搬送時の左右テンションバランスの補正を行うことができ、スキューやシワなどの不具合の発生を低減することができる。その結果、本発明では、メディアを安定走行させることができ、印字不良がなく安定して印刷可能なプリンタ装置を提供することができる。
【図面の簡単な説明】
【００１２】
【図１】メディア巻き取り機構が備えられたインクジェットプリンタの概略構成図である。
【図２】本発明のメディア巻き取り機構の斜視図である。
【図３】本発明のメディア巻き取り機構において、支持プレートの（ａ）斜視図、及び（ｂ）正面図である。
【図４】従来のインクジェットプリンタの概略構成図である。
【発明を実施するための形態】
【００１３】
以下、本発明のメディア巻き取り機構及びプリンタ装置について、図面を参照しながら詳細に説明する。
図１は、本発明のプリンタ装置の概略構成図である。なお、ここではプリンタ装置としてインクジェットプリンタを例に挙げて説明するが、本発明はこれに限定されるものではない。
このインクジェットプリンタ（プリンタ装置）１は、プラテン２０上方をプラテン２０表面とほぼ平行なＸ−Ｙ方向（図１の左右方向と表裏面方向）に相対的に移動させるインクジェットヘッド３０に並ぶノズルからインクを噴射させて、そのインクをプラテン２０上に搭載されたシート等のメディア１０表面にドット状に着弾させることにより、そのメディア１０表面に、複数のインクのドットの配列からなる文字や記号等を含む又は含まない画像（以下、単に画像という）をプリントする。
【００１４】
このインクジェットプリンタ１においては、インクジェットヘッド３０を、一定の移動停止時間をあけて、プラテン２０上方を、繰り返しＹ方向に往復移動させている。他方、メディア１０は、プラテン２０上を、正方向（前方向）のＸ方向に順送りしている。そして、インクジェットヘッド３０を、メディア１０上方をＸ−Ｙ方向に相対的に移動させている。
【００１５】
このようなインクジェットプリンタにおいて、プラテン２０上をＸ方向に所定距離づつ順送りされて、プラテン２０前方に送り出されて来る、画像をプリント済みの帯状に長いシート等のメディア１０を、プラテン２０と並べてプラテンの前方下部に配置されたメディア巻き取り手段４０に支持された筒状の紙製等の巻管（図示せず）周囲に邪魔にならないようにコンパクトにロール状に巻き取っている。
【００１６】
そして、本発明のプリンタ装置１は、以下に説明するようなメディア巻き取り機構４０を備えている。具体的には後述するように、メディア搬送時の左右テンションバランスの補正を行うことができ、スキューやシワ、浮きなどの不具合の発生を低減することができる。その結果、本発明では、メディアを安定走行させることができ、印字不良がなく安定して印刷可能なプリンタを提供することができる。
図２と図３は本発明のメディア巻き取り機構の好適な実施の形態を示し、図２はその正面図、図３はその斜視図である。また、図３は本発明のメディア巻き取り機構において、支持プレート部分を抜き出して示す図であり、（ａ）は斜視図、（ｂ）は正面図である。
以下に、このメディア巻き取り機構を説明する。
【００１７】
このメディア巻き取り機構４０は、例えば、図１に示したように、インクジェットプリンタのプラテン２０の前方下部にプラテン２０と並べて使用されるものであって、該巻き取り機構には、その周囲に帯状に長いメディア１０をロール状に巻き取る筒状の紙製の巻管６０を回転自在にかつ着脱可能に支持する支持手段５０が備えられている。
この支持手段５０は、図３に示すように、該支持手段５０と連続一体的に設けられた取付け部８０とともに支持プレート１００を構成している。
【００１８】
支持手段５０は、図２に示すように、その周囲に巻管６０を抜き差し自在に挿通して、巻管６０と一体に回転させる回転軸５２の両端を回転自在にかつ離脱可能に支持する軸受け部５３等から構成されている。
巻管を支持する回転軸５２は、歯車列５５を介して、電動モータ７０の駆動軸（図示せず）に連結されている。そして、電動モータ７０により、巻管６０を、回転軸５２と共に、メディア１０を巻管６０周囲にロール状に巻き取る方向に回転させることができる構造をしている。
【００１９】
このようなメディア巻き取り機構４０は、前記支持手段５０と連続一体的に設けられた取付け部８０において、インクジェットプリンタの例えばプラテン２０の前方下部にプラテン２０と並べて取付け固定される。
この取付け部８０は、図１及び図３に示すように、プリンタ装置本体側の棒状の第一取付け部材２が挿通される挿通孔８１、及び該第一取付け部材２を固定するためのネジ８２を有する第一取付け部８３と、プリンタ装置本体側の第二取付け部材３と係合される係合部８４を有する第二取付け部８５とから構成される。
【００２０】
そして本発明の巻き取り機構４０では、図３に示すように、前記取付け部８０の少なくとも一部が板バネ９０により構成され、該板バネ部分が可動とされている。本実施形態では、前記取付け部８０のうち、第二取付け部８５の部分が、板バネ９０により構成されている。
本発明では、取付け部８０の一部を板バネ９０により構成することで、従来はプリンタ装置本体に対して完全に固定されていた支持プレート１００が、該板バネ９０の伸縮により、ある程度動くようになり、また、支持プレート１００が摺動することでテンションを吸収することができるようになる。これによりメディア１０の左右テンションバランスの補正を行うことができ、テンションの張りを左右均一化することができる。
【００２１】
また、取付け部８０の一部を板バネ化して可動にすることで、支持プレート１００においてスキュー方向に軸を傾けることができるようになり、これによりスキューの補正、メディア浮きの低減を行うことができる。
このように本発明の巻き取り機構４０では、スキューにより生じた軽微なテンション左右差を低減することができる。或いは、テンション左右差が原因であると考えられるシワ・スキューの発生を低減することができる。その結果、メディア浮きやシワ発生等、搬送時の不具合を低減してメディア１０を安定走行させることが可能となる。
【００２２】
以上、本発明のメディア巻き取り機構及びそれを用いたプリンタについて説明してきたが、本発明はこれに限定されるものではなく、発明の趣旨を逸脱しない範囲で適宜変更可能である。
【産業上の利用可能性】
【００２３】
本発明のメディア巻き取り機構及びそれを用いたプリンタ装置は、インクジェットプリンタは、勿論、帯状に長いシートプリント用の各種プリンタ、帯状布製造機器等から順に送り出されて来る帯状に長いメディアを巻き取るメディア巻き取り機構及びプリンタ装置に広く利用可能である。
【符号の説明】
【００２４】
１  インクジェットプリンタ（プリンタ装置）、１０  メディア、２０  プラテン、３０  インクジェットヘッド、４０  メディア巻き取り機構、５０  支持手段、５２  回転軸、５３  軸受け部、５５  歯車列、６０  巻管、７０  電動モータ、８０  取付け部  ９０  板バネ、１００  支持プレート。
【図１】
2010247939.tif 000003
【図２】
2010247939.tif 000004
【図３】
2010247939.tif 000005
【図４】
2010247939.tif 000006